【手続補正書】
【提出日】平成18年2月8日(2006.2.8)
【手続補正１】
【補正対象書類名】明細書
【補正対象項目名】特許請求の範囲
【補正方法】変更
【補正の内容】
【特許請求の範囲】
【請求項１】  物体の像を所定の像面に形成する全体として正の屈折力を有する結像光学系において、
前記結像光学系が、屈折率（ｎ）が１よりも大きい（ｎ＞１）媒質で形成されたプリズム部材を有し、
前記プリズム部材が、物体からの光束をプリズム内に入射させる第１入射面と、プリズム内で光束を反射する第１反射面と第２反射面と第３反射面と第４反射面と、前記光束をプリズム外に射出する第１射出面とを有し、
前記第２反射面と前記第３反射面とを結ぶ光路が前記第１入射面と前記第１反射面とを結ぶ光路と交差すると共に、前記第２反射面と前記第３反射面とを結ぶ光路が前記第４反射面と前記第１射出面とを結ぶ光路と交差するように構成され、
前記第１反射面と前記第２反射面との少なくとも一方の面が、光束にパワーを与える曲面形状を有し、前記曲面形状が偏心によって発生する収差を補正する回転非対称な面形状にて構成され、前記第３反射面と前記第４反射面との少なくとも一方の面が、光束にパワーを与える曲面形状を有し、前記曲面形状が偏心によって発生する収差を補正する回転非対称な面形状にて構成され、かつ、
前記第１反射面と前記第４反射面との間に中間像面を形成するように構成されていることを特徴とする結像光学系。
【請求項２】  請求項１において、
前記プリズム部材が、第１入射面と第１反射面と第２反射面と第３反射面と第４反射面と第１射出面とを備えた接合又は一体型の１つのプリズムにて構成されていることを特徴とする結像光学系。
【請求項３】  請求項１において、
前記プリズム部材が、前記第２反射面と前記第３反射面との間の光路中で分離された２つのプリズムから構成されていることを特徴とする結像光学系。
【請求項４】  請求項１から３の何れか１項において、
前記第１入射面が、光束にパワーを与えかつ偏心により発生する収差を補正する回転非対称な面形状を有するように構成されていることを特徴とする結像光学系。
【請求項５】  請求項１から４の何れか１項の結像光学系において、
前記第１射出面が、光束にパワーを与えかつ偏心により発生する収差を補正する回転非対称な面形状を有するように構成されていることを特徴とする結像光学系。
【請求項６】  請求項１から５の何れか１項の結像光学系において、
前記回転非対称な面形状が、唯一の対称面を１面のみ有した面対称自由曲面形状であることを特徴とする結像光学系。
【請求項７】  請求項１から６の何れか１項の結像光学系において、
絞りと、複数の楔状のプリズムからなる平行平面板を有し、
前記物体の中心を出て、前記絞りの中心を通り、前記像面の中心に到る光線を軸上主光線としたとき、前記軸上主光線の進行方向と垂直な方向に、該楔状のプリズムを移動させることを特徴とする結像光学系。
【請求項８】  請求項１から７の何れか１項の結像光学系において、
絞りを有し、
前記物体の中心を出て前記絞りの中心を通り、前記像面の中心に到る光線を軸上主光線、前記第１入射面に入射する前記軸上主光線に対して垂直に設けた面を仮想面としたとき、前記仮想面に対して前記像面が傾斜するように、前記プリズム部材の各面が構成されていることを特徴とする結像光学系。
【請求項９】  請求項１から８の何れか１項の結像光学系において、
前記第１入射面と前記第１反射面と前記第２反射面とによって形成される三角形状の交差光路の光束の回転方向と、前記第３反射面と前記第４反射面と前記第１射出面１６とによって形成される三角形状の交差光路の光束の回転方向が同方向になるように、前記プリズム部材の各面が構成されていることを特徴とする結像光学系。
【請求項１０】  請求項３から９の何れか１項の結像光学系において、
前記２つのプリズムを、第１プリズム及び第２プリズムとしたとき、前記第２反射面と前記第３反射面との間に、前記第１プリズム側の光学面と前記第２プリズムの光学面が位置し、
前記第１プリズム側の光学面が、前記第２プリズム側に向かって凸の光学面であり、
前記第２プリズム側の光学面が、前記第１プリズム側に向かって凸の光学面であることを特徴とする結像光学系。
【請求項１１】  請求項１から１０の何れか１項の結像光学系において、
前記第１射出面が前記像面側に向かって凸の光学面であることを特徴とする結像光学系。
【手続補正２】
【補正対象書類名】明細書
【補正対象項目名】００１５
【補正方法】変更
【補正の内容】
【００１５】
以下、本発明において上記構成をとる理由と作用について順に説明する。
上記目的を達成するための本発明の結像光学系は、物体像を形成する全体として正の屈折力を有する結像光学系において、前記結像光学系が、屈折率（ｎ）が１よりも大きい（ｎ＞１）媒質で形成されたプリズム部材を有し、前記プリズム部材が、物体からの光束をプリズム内に入射させる第１入射面と、プリズム内で光束を反射する第１反射面と第２反射面と第３反射面と第４反射面と、前記光束をプリズム外に射出する第１射出面とを有し、前記第２反射面と前記第３反射面とを結ぶ光路が前記第１入射面と前記第１反射面とを結ぶ光路と交差すると共に、前記第２反射面と前記第３反射面とを結ぶ光路が前記第４反射面と前記第１射出面とを結ぶ光路と交差するように構成されていることを特徴とするものである。
【手続補正３】
【補正対象書類名】明細書
【補正対象項目名】００７９
【補正方法】変更
【補正の内容】
【００７９】
なお、本発明の以上の結像光学系を撮像装置の撮像部に配置する場合、あるいは、その撮影装置がカメラ機構を備える場合に、プリズム部材を光学作用を持つ光学素子の中で最も物体側に配置し、そのプリズム部材の入射面を光軸に対して偏心して配置し、そのプリズム部材よりも物体側に光軸に対して垂直に配置したカバー部材を配置する構成にすることができ、また、プリズム部材が物体側に光軸に対して偏心配置された入射面を備えるように構成し、その入射面と空気間隔を挟んで光軸と同軸上に配置されたパワーを有するカバーレンズをその入射面よりも物体側に配置する構成にすることができる。
【手続補正４】
【補正対象書類名】明細書
【補正対象項目名】０１２４
【補正方法】変更
【補正の内容】
【０１２４】
なお、本例では、撮影用対物光学系４８のカバー部材６５として、平行平面板を配置しているが、前例と同様に、パワーを持ったレンズを用いてもよい。
【手続補正５】
【補正対象書類名】明細書
【補正対象項目名】０１２６
【補正方法】変更
【補正の内容】
【０１２６】
次に、図１４は、本発明による結像光学系を電子内視鏡の観察系の対物光学系８２に、本発明による結像光学系を電子内視鏡の観察系の接眼光学系８７に組み込んだ構成の概念図を示す。この例の場合、観察系の対物光学系８２は実施例１と同様の形態の光学系を用いており、接眼光学系８７も実施例５と同様の形態の光学系を用いている。この電子内視鏡は、図１４（ａ）に示すように、電子内視鏡７１と、照明光を供給する光源装置７２と、その電子内視鏡７１に対応する信号処理を行うビデオプロセッサ７３と、このビデオプロセッサ７３から出力される映像信号を表示するモニター７４と、このビデオプロセッサ７３と接続され映像信号等に記録するＶＴＲデッキ７５、及び、ビデオディスク７６と、映像信号を映像としてプリントアウトするビデオプリンタ７７と、頭部装着型画像表示装置（ＨＭＤ）７８と共に構成されており、電子内視鏡７１の挿入部７９の先端部８０と、その接眼部８１は、図１４（ｂ）に示すように構成されている。光源装置７２からの照明光束は、ライトガイドファイバー束８８を通って照明用対物光学系８９により、観察部位を照明する。そして、この観察部位からの光が、カバー部材８５を介して、観察用対物光学系８２によって物体像として形成される。この物体像は、ローパスフィルター、赤外カットフィルター等のフィルター８３を介してＣＣＤ８４の撮像面上に形成される。さらに、この物体像は、ＣＣＤ８４によって映像信号に変換され、その映像信号は、図１４（ａ）に示すビデオプロセッサ７３により、モニター７４上に直接表示されると共に、ＶＴＲデッキ７５、ビデオディスク７６中に記録され、また、ビデオプリンタ７７から映像としてプリントアウトされる。また、ＨＭＤ７８の画像表示素子に表示されＨＭＤ７８の装着者に表示される。同時に、ＣＣＤ８４によって変換された映像信号は接眼部８１の液晶表示素子（ＬＣＤ）８６上に電子像として表示され、その表示像は本発明の観察光学系からなる接眼光学系８７を経て観察者眼球Ｅに導かれる。